(57)【要約】  ナットが冷却されても、冷却能力が低下しにくいボールねじ装置を提供する。そのために、ねじ軸（１０）と、複数の転動体（３０）を介してねじ軸（１０）に螺合するナット（２０）と、該ナット（２０）の内部に設置された冷却手段（５０）とを備え、転動体（３０）の径をＤＷ、ナット（２０）の全長をＬ、軸方向すきまをδとしたとき、０．０５×１０−３Ｌ≦δ≦０．００５ＤＷを満たす。
2013183298.tif 000002
【特許請求の範囲】
【請求項１】
外周面に転動溝が形成されたねじ軸と、
前記転動溝に対応する転動溝が内周面に形成され、該転動溝と前記ねじ軸の転動溝とによって形成される転動体転動路に配設された複数の転動体を介して前記ねじ軸に螺合するナットと、
前記ナットの内部に設置された冷却手段とを有し、
前記転動体の径をＤＷ、前記ナットの全長をＬ、軸方向すきまをδ、としたとき、下記式（１）を満たすことを特徴とするボールねじ装置。
０．０５×１０−３Ｌ≦δ≦０．００５ＤＷ・・・・・・・式（１）
【請求項２】
前記ねじ軸と前記ナットとの温度差が３０℃以下であることを特徴とする請求項１に記載のボールねじ装置。
【請求項３】
前記ねじ軸の一方の端部のみが固定されていることを特徴とする請求項１又は２に記載のボールねじ装置。
【請求項４】
射出成形機に用いられることを特徴とする請求項１〜３のいずれか一項に記載のボールねじ装置。
【発明の詳細な説明】
【技術分野】
【０００１】
本発明は、ボールねじ装置に関し、特に、射出成形機やプレス機など精密機械部品を加工する設備用機械に用いられるボールねじ装置に関する。
【背景技術】
【０００２】
従来より、ねじ軸と、該ねじ軸に螺合して相対的に回転可能とされたナットとを有するボールねじ装置では、回転時に点接触又は面接触が生じるため、熱源（例えば、上記ナット）に冷却手段が設けられることがあった。
このようなボールねじ装置としては、上記冷却手段（熱交換器）として、冷媒が循環する冷却パイプを上記ナット内に配設したボールねじ装置が開示されている（例えば、特許文献１）。【０００３】
この特許文献１に開示されたボールねじ装置によれば、冷却手段として、上記ナットの内部に冷却液用貫通穴を配設し、この冷却液用貫通穴に冷却液を循環させている。このように、全長の長いねじ軸を冷却するよりも、全長の短いナットを冷却する方が、冷却装置がコンパクトになるため、ナットの内部に冷却液用貫通穴を配設していた。【０００４】
かかる構成とすることにより、上記ナットはもちろん、他の熱源であるボールの近傍に対しても常に冷却することができ、結果として、冷却によってナットが収縮したときにも、動摩擦トルクが上昇しにくいボールねじ装置を提供することができる。また、冷却効果をできるだけ高くし、過度な加工効率の低下や圧力損失の増加を招くことのないボールねじ装置を提供することができる。
【先行技術文献】
【特許文献】
【０００５】
【特許文献１】特開２０１０−１３３５５６号公報
【発明の概要】
【発明が解決しようとする課題】
【０００６】
しかしながら、従来の射出成形機などで使用されるボールねじ装置においては、ナットが冷やされた際に、ねじ軸とナットの温度差が発生すると、ねじ軸とナットの膨張する長さが異なり、ねじ軸の溝とナットの溝との距離が短くなるため、転動体を配置した際の軸方向すきまが小さくなる。そして、この温度差が大きい場合には、すきまがなくなり、ボールねじ装置に内部荷重が発生する可能性があった。このように、内部荷重が発生すると発熱量が増えるため、ボールねじ装置の冷却効率が相対的に低下してしまい、検討の余地があった。特に、ボールねじ装置が用いられる射出成形機は、プラスチックなどを加熱し、金型で成型するため、外部からの熱影響による温度変化は、成型性の低下に繋がることがある。
そこで、本発明は上記の問題点に着目してなされたものであり、その目的は、ナットが冷却されても、冷却能力が低下しにくいボールねじ装置を提供することにある。
【課題を解決するための手段】
【０００７】
上記目的を達成するために、本発明のある実施形態のボールねじ装置は、外周面に転動溝が形成されたねじ軸と、
上記転動溝に対応する転動溝が内周面に形成され、該転動溝と上記ねじ軸の転動溝とによって形成される転動体転動路に配設された複数の転動体を介して上記ねじ軸に螺合するナットと、
上記ナットの内部に設置された冷却手段とを有し、
上記転動体の径をＤＷ、上記ナットの全長をＬ、軸方向すきまをδ、としたとき、下記式（１）を満たす。
０．０５×１０−３Ｌ≦δ≦０．００５ＤＷ・・・・・・・・・式（１）【０００８】
ここで、上記ボールねじ装置は、上記ねじ軸と上記ナットとの温度差が３０℃以下であることが好ましい。
また、上記ボールねじ装置は、上記ねじ軸の一方の端部のみが固定されていることが好ましい。
また、上記ボールねじ装置は、射出成形機に用いられることが好ましい。
【発明の効果】
【０００９】
本発明によれば、ナットが冷却されても、冷却能力が低下しにくいボールねじ装置を提供することができる。
【図面の簡単な説明】
【００１０】
【図１】ボールねじ装置の一実施形態における構成を示す軸方向に沿う断面図である。
【図２】本実施例における軸方向すきまとナットの全長との比と内部荷重との関係を示すグラフである。
【図３】本実施例における軸方向すきまとナットの全長との比と内部荷重との関係を検証する試験機の構成を示す概略図である。
【図４】本実施例におけるボールねじ装置の温度と、δ／Ｌとの関係を示すグラフである。
【図５】外部荷重を１０％Ｃｏａとし、δ／ＤＷを変化させたときの乗り上げ発生状況を示すグラフである。
【発明を実施するための形態】
【００１１】
以下、ボールねじ装置の一実施形態について図面を参照して説明する。図１は、ボールねじ装置の一実施形態における構成を示す軸方向に沿う断面図である。
図１に示すように、本実施形態のボールねじ装置１は、ねじ軸１０と、ナット２０とを有する。ねじ軸１０及びナット２０は、複数の転動体３０を介して螺合している。ナット２０は、ねじ軸１０の外径より大きい内径で筒状に形成されている。ナット２０の内周面には、ねじ軸１０の外周面に螺旋状に形成されたねじ溝１０ａに対向するようにねじ溝２０ａが形成されている。ねじ溝１０ａとねじ溝２０ａとによって形成された転動路４０において転動体３０は転動可能とされている。
【００１２】
また、ナット２０には、軸方向に貫通する貫通穴２０ｂが形成されている。この貫通穴２０ｂは、冷却媒体の通路として用いられ、貫通穴２０ｂ内で冷却媒体を循環させるための循環装置（図示せず）が接続されている。この循環装置及び貫通穴２０ｂが冷却手段５０を構成する。このように、図示しない循環装置によって貫通穴２０ｂ内を冷却媒体が循環することによって、ナット２０が冷却される。
以上のような構成によって、貫通穴２０ｂに冷却液を通すことで、ナット２０を冷却することができる。
【００１３】
さらに、本実施形態のボールねじ装置１は、熱変位差による内部荷重の発生を抑える構成を有する。
具体的には、ボールねじ装置１が駆動されて発熱すると、ねじ軸１０とナット２０とが熱変位する。
ここで、ナット２０の中心を基準として、ナット２０の両端部の位置におけるねじ軸１０とナット２０とのアキシアル方向の熱変位量は以下の式（Ａ），（Ｂ）で計算される。なお、下記式（Ａ），（Ｂ）において、ΔＬθＳは、ねじ軸熱変位量（ｍｍ）、ΔＬθｎは、ナット熱変位量（ｍｍ）、ρは、線膨張係数（１／℃）を示す。また、Ｌは、ナットの全長（ｍｍ）、θＳは、ねじ軸温度上昇値（℃）、θｎは、ナット温度上昇値（℃）を示す。
【００１４】
【数１】
2013183298.tif 000003
【００１５】
【数２】
2013183298.tif 000004
【００１６】
図１に示すボールねじ装置１を駆動させることで、ナット２０が冷やされて、ねじ軸１０とナット２０とに温度差が発生すると、この熱変位量に差が生じる。
そして、ナット２０の両端部の位置におけるねじ軸１０とナット２０との熱変位差は下記式（Ｃ）となる。なお、下記式（Ｃ）において、δθは、ねじ軸とナットとの熱変位差（ｍｍ）を示す。
【００１７】
【数３】
2013183298.tif 000005
【００１８】
この熱変位差によって、ねじ軸１０及びナット２０のそれぞれのねじ溝１０ａ，２０ａの位置が相対的にずれるため、ボールねじ装置１の軸方向すきまは小さくなる。
また、温度差が大きい場合は、すきまがマイナスとなり、ボールねじ装置１に内部荷重が発生する。
この内部荷重の大きさを計算するには、ボールねじ装置１内の各転動体３０についてマイナスすきまによる荷重を計算し、総和を取ればよい。
このことから、ボールねじ装置１の軸方向すきまを大きくすることで、熱変位差による内部荷重の発生を抑えることができる。
【００１９】
ここで、ボールねじ装置１のねじ軸１０は、その一方の端部のみが固定されていることが好ましい。特に、ボールねじ装置１を射出成形機に用いる場合においては、ねじ軸１０の一方の端部のみが、基台に固定された軸受（図示せず）によって回転自在に支持されることが好ましい。このように構成することで、射出成形機におけるボールねじ装置１と溶融樹脂を格納する容器との干渉を低減することができる。
【００２０】
また、上記式（Ｃ）から、ナット２０の全長が長くなると、熱変位差が大きくなり、内部荷重が発生しやすくなることが分かる。
すなわち、熱変位差による内部荷重の発生を抑えるためには、ナット２０の全長に合わせて軸方向すきまを大きくする必要がある。
ここで、一般的なボールねじ装置の最高使用温度は、ナット２０の外径温度で５０℃であり、また、ねじ軸の温度が８０℃を超えると、グリースの劣化やナット２０の内部にある樹脂部品の熱変質などの懸念があるため、ねじ軸１０とナット２０との温度差（Δθ）は上述の各値の差をとり、最大３０℃として以降の検討を行った。
【実施例】
【００２１】
＜軸方向すきまの範囲＞
［軸方向すきまの下限］
以下、本発明の実施例について図面を参照して詳細に説明する。
まず、表１に示す３つの諸元のボールねじ装置について、軸方向すきまを種々に変化させ、Δθが３０℃のときに発生する内部荷重を計算した。その結果を図２に示す。また、図２では、ナット全長に合わせて軸方向すきまを変える必要があるため、横軸は比をとってδ／Ｌとしている。
図２に示すように、δ／Ｌが０．０５×１０−３より小さくなると、内部荷重が上昇していることが分かる。これは、軸方向すきまが小さいため、ナット両端側に位置しているボールがマイナスすきまとなったためである。【００２２】
【表１】
2013183298.tif 000006
【００２３】
次に、この結果を検証するため試験を行った。
この試験は、表２に示す諸元のボールねじ装置を用い、表２に示す条件で行った。また、図３は、本実施例における軸方向すきまとナットの全長との比と内部荷重との関係を検証する試験機の構成を示す概略図である。また、この試験結果を図４に示す。【００２４】
まず、図３に示すように、この試験機１００は、冷却液を循環させる冷却手段５０を備えたボールねじ装置１のナット２０に対して、外部荷重をかける弾性手段１０１が設けられている。一方、ボールねじ装置１のねじ軸１０の一端部にはプーリベルト１０２を介してモータ１０３が連結されて、該モータ１０３の回転がねじ軸１０の回転として伝達される構成とされている。そして、この試験機１００では、温度測定位置ＭＴに図示しない温度測定手段が設けられている。【００２５】
図４に示すように、δ／Ｌが０．０５×１０−３以下であると、ボールねじ装置の温度が上昇している。これは、ナットの内部に内部荷重が発生し、ボールねじ装置の駆動時の発熱量が増加したためである。
以上の結果から、熱変位差による内部荷重の発生を抑えるためには、δ／Ｌを以下の範囲とすればよい。
δ／Ｌ≧０．０５×１０−３【００２６】
【表２】
2013183298.tif 000007
【００２７】
＜軸方向すきまの上限＞
ここで、δ／Ｌのうち、Ｌは客先からの要求寿命や使用条件によって決まるため、実際の設計では軸方向すきまδを大きくすることになる。
しかし、軸方向すきまを大きくしすぎると、転動体の接触面がねじ溝の肩部に乗り上げてしまい（以下、乗り上げと呼ぶことがある）、ボールねじ装置の早期破損等の悪影響を及ぼす懸念がある。【００２８】
そこで、軸方向すきまを大きくする上限について検討を行った。
ここで、外部荷重の一般的な目安は、ボールねじ装置の静定格荷重（Ｃｏａ）の１０％である。
また、軸方向すきまが乗り上げに与える影響は、転動体の径（ＤＷ）によって変わるため、δ／ＤＷに注目するとよい。
そこで、下記表３に示す６つの諸元のボールねじ装置について、外部荷重を１０％Ｃｏａとし、δ／ＤＷを変化させたときの乗り上げ発生状況を図５に示す。【００２９】
【表３】
2013183298.tif 000008
【００３０】
図５に示すように、δ／ＤＷが０．００５以下では、表３に示す６つの諸元のボールねじ装置の全てが乗り上げることなく（乗り上げ発生率＝０％）、δ／ＤＷが０．００５を超えると乗り上げる諸元のボールねじ装置があり、０．００６５以上になると全ての諸元のボールねじ装置において乗り上げが発生した（乗り上げ発生率＝１００％）。特に、δ／ＤＷが約０．００５５であるときは、表３に示す６つの諸元のうち、１つのボールねじ装置の乗り上げが発生（乗り上げ発生率＝１６．６％）し、δ／ＤＷが約０．００６であるときは、表３に示す６つの諸元のうち、２つのボールねじ装置の乗り上げが発生した（乗り上げ発生率＝３３．３３％）。【００３１】
以上の結果より、δ／ＤＷは以下の範囲とすることが望ましい。
δ／ＤＷ≦０．００５
以上の結果を軸方向すきまについてまとめると、軸方向すきまを下記式（１）の範囲として設計すれば、ナットが冷却されても内部荷重による冷却能力低下が発生しにくいボールねじを提供することができる。
０．０５×１０−３Ｌ≦δ≦０．００５ＤＷ・・・・・・・・・式（１）【００３２】
以上、本発明の実施の形態について説明してきたが、本発明はこれに限定されずに、種々の変更、改良を行うことができる。特に、本発明のボールねじ装置は、射出成形機に用いられることで上述したような顕著な効果を奏する。射出成形機に本発明のボールねじ装置が用いられる場合、ねじ軸は、工作機械などに用いられるボールねじ装置のねじ軸よりも太く、かつ短く構成される。その結果、本発明のボールねじ装置は、高サイクル、高速、高荷重を実現するボールねじ装置として機能する。
【符号の説明】
【００３３】
１  ボールねじ装置
１０  ねじ軸
２０  ナット
３０  転動体
４０  転動体転動路
５０  冷却手段
【図１】
2013183298.tif 000009
【図２】
2013183298.tif 000010
【図３】
2013183298.tif 000011
【図４】
2013183298.tif 000012
【図５】
2013183298.tif 000013
【手続補正書】
【提出日】平成26年3月13日(2014.3.13)
【手続補正１】
【補正対象書類名】特許請求の範囲
【補正対象項目名】全文
【補正方法】変更
【補正の内容】
【特許請求の範囲】
【請求項１】
外周面に転動溝が形成されたねじ軸と、
前記転動溝に対応する転動溝が内周面に形成され、該転動溝と前記ねじ軸の転動溝とによって形成される転動体転動路に配設された複数の転動体を介して前記ねじ軸に螺合するナットと、
前記ナットの内部に設置された冷却手段とを有し、
前記転動体の径をＤW（ｍｍ）、前記ナットの全長をＬ（２００ｍｍ以上、２６０ｍｍ以下）、軸方向すきまをδ（ｍｍ）、としたとき、下記式（１）を満たすことを特徴とするボールねじ装置。
０．０５×１０-3Ｌ≦δ≦０．００５ＤW・・・・・・・式（１）
【請求項２】
前記ねじ軸と前記ナットとの温度差が３０℃以下であることを特徴とする請求項１に記載のボールねじ装置。
【請求項３】
前記ねじ軸の一方の端部のみが固定されていることを特徴とする請求項１又は２に記載のボールねじ装置。
【請求項４】
射出成形機に用いられることを特徴とする請求項１〜３のいずれか一項に記載のボールねじ装置。
【手続補正２】
【補正対象書類名】明細書
【補正対象項目名】０００７
【補正方法】変更
【補正の内容】
【０００７】
上記目的を達成するために、本発明のある実施形態のボールねじ装置は、外周面に転動溝が形成されたねじ軸と、
上記転動溝に対応する転動溝が内周面に形成され、該転動溝と上記ねじ軸の転動溝とによって形成される転動体転動路に配設された複数の転動体を介して上記ねじ軸に螺合するナットと、
上記ナットの内部に設置された冷却手段とを有し、
前記転動体の径をＤW（ｍｍ）、前記ナットの全長をＬ（２００ｍｍ以上、２６０ｍｍ以下）、軸方向すきまをδ（ｍｍ）、としたとき、下記式（１）を満たすことを特徴とするボールねじ装置。
０．０５×１０-3Ｌ≦δ≦０．００５ＤW・・・・・・・・・式（１）
【国際調査報告】
2013183298.tif 000014
2013183298.tif 000015
2013183298.tif 000016
2013183298.tif 000017